(57)【要約】移動体通信装置を利用した装置及び方法であって、移動体通信装置はハウジング（１１０）、ハウジング（１１０）に接続される受話器（１５０）、ハウジング（１１０）に接続されるキーパッド（１３５）、ハウジング（１１０）に接続されるアレイセンサ（１３０）を含む。アレイセンサ（１３０）は、ハウジング（１１０）の正面（１１５）の主要部分に分布する形で設けられて、ハウジング（１１０）の近傍の種々の導電率プロファイルの検出を可能にする。アレイセンサ（１３０）の一部はキーパッド（１３５）の下に配置することができる。移動体通信装置はアレイセンサ（１３０）に印加される電界の変化を検知し、導電率プロファイルに応答して、アレイセンサ（１３０）に印加される電界の変化に基づいて移動体通信装置の動作パラメータを調整することができる。
2005528845.tif 000002
【特許請求の範囲】
【請求項１】
移動体通信装置の動作方法であって、該移動体通信装置は受話器及び静電容量アレイセンサを含み、前記アレイセンサは前記移動体通信装置の受話器を備える部分へ延びており、
前記移動体通信装置の受話器を備える部分へ延びる静電容量アレイセンサに印加される静電容量電界の変化を検知する工程と、
前記静電容量アレイセンサに印加される前記静電容量電界の前記変化に基づいて、前記移動体通信装置の動作パラメータを調整する工程とを含む移動体通信装置の動作方法。
【請求項２】
前記検知する工程が、前記移動体通信装置の受話器を備える部分へ延びる前記静電容量アレイセンサの導電率プロファイルに従った静電容量電界の変化を検知する工程をさらに備える、請求項１記載の移動体通信装置の動作方法。
【請求項３】
前記導電率プロファイルは、ヒトの顔の外形の一部を含む請求項２記載の移動体通信装置の動作方法。
【請求項４】
前記導電率プロファイルはヒトの手の一部を含む請求項２記載の移動体通信装置の動作方法。
【請求項５】
２つの異なる導電率プロファイルを区別する工程をさらに含む、請求項２記載の移動体通信装置の動作方法。
【請求項６】
前記導電率プロファイルの３次元マップを用いて、導電率プロファイルのタイプを判定する工程をさらに含む、請求項２記載の移動体通信装置の動作方法。
【請求項７】
前記移動体通信装置はさらにアンテナ及びアンテナ整合回路を備え、
前記動作パラメータは前記アンテナ整合回路の調整を含む、請求項１記載の移動体通信装置の動作方法。
【請求項８】
前記動作パラメータは前記受話器の音量を含む、請求項１記載の移動体通信装置の動作方法。
【請求項９】
前記静電容量アレイセンサからのヒトの頭の一部までの距離を検出する工程をさらに含み、
前記調整する工程が、その検出した距離に基づいて、前記受話器の音量を上げることを含む、請求項８記載の移動体通信装置の動作方法。
【請求項１０】
前記静電容量アレイセンサからヒトの頭部の一部までの距離を検出する工程をさらに含み、
前記動作パラメータが、前記検出距離に基づくマイクロホンの感度を含む、請求項１記載の移動体通信装置の動作方法。
【請求項１１】
前記導電率プロファイルは前記移動体通信装置の外部にある導電体からなる請求項２記載の移動体通信装置の動作方法。
【請求項１２】
前記動作パラメータは前記移動体通信装置の照明を含む請求項１１記載の移動体通信装置の動作方法。
【請求項１３】
前記動作パラメータは可聴警報及び性能改善メッセージの内の少なくとも一つを含む請
求項１１記載の移動体通信装置の動作方法。
【請求項１４】
移動体通信装置であって、
ハウジングと、
前記ハウジングに接続される受話器と、
前記ハウジングに接続され、かつ前記移動体通信装置の受話器を備える部分へ延びるアレイセンサとを備える移動体通信装置。
【請求項１５】
キーパッドをさらに備え、前記アレイセンサの一部は前記キーパッドの下に位置する、請求項１４記載の移動体通信装置。
【請求項１６】
前記アレイセンサに接続され、前記アレイセンサに印加される電界の変化を検知するように構成される電界検知モジュールと、
前記電界検知モジュールに接続され、前記アレイセンサに印加される前記電界の前記変化に応答して前記移動体通信装置の動作パラメータを調整するように構成される動作パラメータ調整モジュールとをさらに備える請求項１４記載の移動体通信装置。
【請求項１７】
前記電界検知モジュールに接続される導電率プロファイル検出モジュールをさらに備え、該導電率プロファイル検出モジュールは、前記電界検知モジュールが検知する電界の変化に基づいて、導電率プロファイルを検出するように構成される、請求項１６記載の移動体通信装置。
【請求項１８】
前記導電率プロファイルはヒトの顔の外形の一部を含む請求項１７記載の移動体通信装置。
【請求項１９】
前記導電率プロファイルはヒトの手の一部を含む請求項１７記載の移動体通信装置。
【請求項２０】
前記導電率プロファイル検出モジュールに接続される導電率プロファイル判別モジュールをさらに備え、導電率プロファイル判別モジュールは、２つの異なる導電率プロファイルを区別するように構成される、請求項１７記載の移動体通信装置。
【請求項２１】
さらに、前記導電率プロファイル検出モジュールに接続される導電率プロファイルタイプ判定モジュールをさらに備え、該導電率プロファイルタイプ判定モジュールは前記導電率プロファイルの３次元マップを使用して、導電率プロファイルのタイプを判定するように構成される、請求項１７記載の移動体通信装置。
【請求項２２】
前記ハウジングに接続されるアンテナと、
前記アンテナに接続されるアンテナ整合回路とをさらに備え、
前記動作パラメータは前記アンテナ整合回路の調整を含む、請求項１７記載の移動体通信装置。
【請求項２３】
前記動作パラメータは前記受話器の音量を含む請求項１７記載の移動体通信装置。
【請求項２４】
前記アレイセンサからヒトの頭部の一部までの距離を検出するように構成される距離検出モジュールをさらに備え、
前記動作パラメータ調整モジュールはさらに、その検出距離に基づいて前記受話器の音量を増大させるように構成される、請求項１７記載の移動体通信装置。
【請求項２５】
前記ハウジングに接続されるマイクロホンと、
前記電界検知モジュールに接続され、前記アレイセンサからヒトの頭の一部の距離を検
出するように構成される距離検出モジュールとをさらに備え、
前記動作パラメータ調整モジュールはさらに、その検出距離に基づいて前記マイクロホンの感度を上げるように構成される、請求項１７記載の移動体通信装置。
【請求項２６】
前記導電率プロファイルは前記移動体通信装置の外部にある導電体を含む請求項１７記載の移動体通信装置。
【請求項２７】
前記動作パラメータは前記移動体通信装置の照明を含む請求項１７記載の移動体通信装置。
【請求項２８】
前記動作パラメータは、性能の改善に関する可聴警報及びメッセージの内の少なくとも一つを含む請求項１７記載の移動体通信装置。
【請求項２９】
移動体通信装置であって、
ハウジング前面と、
第１部分と、
第２部分とを備え、
前記第１部分及び前記第２部分は組み合わされて前記ハウジング前面の全体を被覆するハウジングと、
前記ハウジングの前記第１部分にのみに接続されるキーパッドと、
前記ハウジングの第２部分にまで実質的に延びるアレイセンサとを備える移動体通信装置。
【請求項３０】
前記第１部分は前記ハウジング前面のほぼ半分を含み、
前記第２部分は前記ハウジング前面のほぼ半分を含む、請求項２９記載の移動体通信装置。
【請求項３１】
受話器をさらに備え、
前記受話器は前記第２部分に位置し、前記アレイセンサは実質的に前記受話器の近傍にまで延びる、請求項３０記載の移動体通信装置。
【発明の詳細な説明】
【技術分野】
【０００１】
本発明は広範なアレイセンサを含むポータブル装置を利用する方法及び装置に関する。特に本発明は、キーパッドを含む部分とは別に、またはキーパッドを含む部分に加えて装置の各構成部分の周りに拡がるアレイセンサを含むハンドヘルド装置に関する。
【背景技術】
【０００２】
現在では、携帯電話、ページャ（小型無線呼出機）、携帯ゲーム機、リモコンなどのような移動体通信装置及びハンドヘルドポータブル装置は、あちこち動き回るユーザに通信機能及び他の機能を提供する。例えば、携帯電話を持つユーザは、歩行のような別の動作を行ないながら電話することができる。残念なことに、ユーザがユーザの頭部に対して携帯電話を正しい位置に保持できないと最適な性能を得られないことがある。例えば、ユーザがマイクロホンをユーザの口から離して保持する場合がある。この動作はマイクロホンの性能に悪影響を及ぼし、マイクロホンがユーザの声を上手く拾えないことになる。また、ユーザはスピーカをユーザの耳から離して電話機を保持することがある。この動作はスピーカの性能に悪影響を及ぼし、ユーザがスピーカからの出力を最適な形で聴くことができないことになる。また、ユーザはユーザの頭からのアンテナの距離を変えながら電話機を保持することがある。この動作はアンテナの性能及び伝送性能に悪影響を及ぼす。これは、アンテナ整合回路が最適な調整状態ではなくなるためである。
【０００３】
残念なことに、現在の移動体通信装置はこれらの問題に対処していない。特に、現在の移動体通信装置は移動体通信装置がユーザの頭に対してどのように位置しているかを検出できないために、これらの問題を解決することができない。
【０００４】
静電容量型のタッチパッドは、１９９６年１０月１５日出願のＧｅｒｐｈｅｉｄｅらによる特許文献１、１９９９年１月１９日出願のガーフィード（Ｇｅｒｐｈｅｉｄｅ）による特許文献２、及び２００１年４月２４日出願のガーフィード（Ｇｅｒｐｈｅｉｄｅ）らによる特許文献３に開示されている。これらのタッチパッドは、ラップトップコンピュータ及びデスクトップコンピュータの双方に使用されるマウスに置き換わるものとして開示されている。特にこれらのタッチパッドは、フルキーボード、及びモニターまたは大型ＬＣＤディスプレイのようなディスプレイを利用するコンピュータの代替ポインティング装置として特に有用なものとして開示されている。これらのタッチパッドはコンピュータでのデータ入力に有用であるとして開示されているだけである。
【特許文献１】米国特許第５，５６５，６５８号
【特許文献２】米国特許第５，８６１，８７５号
【特許文献３】米国特許第６，２２２，５２８Ｂ１号
【発明の開示】
【発明が解決しようとする課題】
【０００５】
従って、移動体通信装置の性能を改良する手段が必要になる。例えば、移動体通信装置の性能に影響を及ぼす外部の物体を検出し、外部物体を考慮した性能を実現するために移動体通信装置の動作パラメータを調整する操作に基づいて移動体通信装置の性能を改良する必要がある。
【課題を解決するための手段】
【０００６】
本発明は移動体通信装置を利用した装置及び方法を提供するものであり、この移動体通信装置は、ハウジング、ハウジングに接続される受話器、ハウジングに接続されるキーパッド、及びハウジングに接続されるアレイセンサを含む。アレイセンサはハウジングの正
面の有意の部分に渡って分布しており、ハウジング近傍の導電率プロファイルを検出することができる。アレイセンサの一部はキーパッドの下に位置することができる。移動体通信装置はアレイセンサ両端の電界の変化を検知し、アレイセンサ両端の電界の変化に応じて、ハウジング近傍の導電率プロファイルに基づいて、移動体通信装置の動作パラメータを調整することができる。
【０００７】
従って、本発明は移動体通信装置の動作を、移動体通信装置の性能に影響を及ぼす外部物体を検出することにより改善することができる。更に本発明は、移動体通信装置の動作パラメータを調整することにより外部物体を考慮に入れた性能を実現し、移動体通信装置の動作を改善することができる。
【発明を実施するための最良の形態】
【０００８】
図１は本発明の一の実施形態による移動体通信装置１０の一例である。移動体通信装置１０は、携帯情報端末、携帯電話、ページャ、または携帯ゲーム機などのようなどのような形態の携帯パーソナル装置であってもよい。移動体通信装置１０はメインハウジング１１０を含むことができ、このメインハウジング１１０はハウジング前面１１５、タッチパッドすなわちアレイセンサ１３０、キーパッド１３５、音声入力装置１４０、スピーカまたは受話器のような音声出力装置１５０、画像出力装置すなわちディスプレイ１６０、アンテナ１７０、及びアンテナ整合回路１７２を含むことができる。メインハウジング１１０は、キーパッド１３５、音声入力装置１４０、音声出力装置１５０、画像出力装置１６０、及び／又は他の構成要素の任意の組合せを含むこともできる。移動体通信装置１０は必ずしも、複数の入力装置及び出力装置を必要としない。例えば、移動体通信装置は入力用にアレイセンサ１３０のみを、出力用にディスプレイ１６０のみを利用することができる。
【０００９】
キーパッド１３５は数字キーパッドであり、アレイセンサ１３０の一部はキーパッド１３５の下に配置することができる。音声入力装置１４０はマイクロホンとすることができる。ハウジング前面１１５は２つの部分を含むことができる。例えば、第１部分がキーパッド１３５を含み、第２部分がディスプレイ１６０及び／又はスピーカ１５０を含むことができる。アレイセンサ１３５の一部または全ては、ディスプレイ１６０及び／又はスピーカ１５０を含む部分に配置することができる。アレイセンサ１３５は感知領域を拡大したアレイセンサとしてもよく、このアレイセンサはキーパッド１３５を含む領域をカバーし、さらにディスプレイ１６０及び／又はスピーカ１５０を含む領域もカバーする。
【００１０】
ディスプレイ１６０はＬＣＤディスプレイ、ＬＥＤディスプレイ、または画像情報を表示するのに有用な他のどのようなディスプレイであってもよい。ディスプレイ１６０は、表示情報または移動体通信装置１０の各部分を照明するバックライトを組み込むことができる。アレイセンサ１３０はキーパッド１３５の下に配置され、キーパッドは第１ハウジング１１５の正面に配置され得る。アレイセンサ１３０は、インピーダンスセンサ、静電容量アレイセンサ、誘導アレイセンサ、または該アレイセンサ１３０の近傍にある物体を検知するのに有用な他の任意のセンサであってよい。例えば、アレイセンサ１３０は、プラスチック基板に印刷されたｘ軸電極及びｙ軸電極を含むことができる。以下に記載するように、これらの電極に電荷を与え、その変化をモニターすることができる。
【００１１】
動作状態において、移動体通信装置１０は他の移動体通信装置、基地局、または通信機能を備える他の装置と通信することができる。音声入力装置１４０は音声信号を受信して伝送することができ、音声出力装置１５０は受信した通信信号を音声形式で出力することができる。ディスプレイ１６０は、ダイアル電話番号、信号強度値、電話帳登録、テキストメッセージ、アイコン、または他の有用な画像情報のような画像情報を、移動体通信装置１０のユーザに対して表示することができる。
【００１２】
アレイセンサ１３０を使用してアレイセンサ１３０に印加される電界の変化を検知することができる。例えば、アレイセンサ１３０はヒトの頭部、手、テーブル面のような導電物体または他の全ての導電物体の位置または角度を検知することができる。従って、移動体通信装置１０の動作パラメータは、アレイセンサ１３０に印加される電界の変化に基づいて調整することができる。
【００１３】
アレイセンサ１３０はまた、指のような導電体の位置を、例えば電極間の容量の変化に基づいて、検出するように調整することができる。物体によって変わる電極間の容量を十分に検出できる感度または距離を、１ミリメートルの数十分の１から１２ミリメートル超にまで調整することができる。例えば、アレイセンサ１３０は、指が異なる距離に位置するのを走査することができ、指が異なる距離に位置することによりアレイセンサ１３０の容量が変わってアレイセンサが起動される。従って、本発明は移動体通信装置１０に入力機能を追加することができる。
【００１４】
図２は第２の実施形態による移動体通信装置１０の一例を示している。移動体通信装置１０は正面カバー１２５含み、このカバーは開くことによりハウジング１１０の正面１１５の少なくとも一部または全体へのアクセスを可能としたり、あるいは閉じることによりハウジング１１０の正面１１５または正面１１５の一部を覆うことができる。この図は、正面カバー１２５が開いた位置にあるときの移動体通信装置１０の一例を示している。正面カバー１２５はハウジング１１０に、回転可能な連結器、摺動可能な連結器、取り外し可能な連結器、または第１ハウジングを第２ハウジングに連結する他の任意の手段によって取り付けることができる。例えば、正面カバー１２５はハウジング１１０の正面１１５を中心として回転する、または正面１１５に沿って摺動する、或いはハウジング１１０のエッジを中心に回転することができる。さらに、アレイセンサ１３０は正面カバー１２５の一部にまで延在することができる。
【００１５】
動作状態において、正面カバー１２５が閉じた状態にあるとき、アレイセンサ１３０はその感度を、第１ハウジング１１５の正面に対応する開位置感度から、正面カバー１２５の外側に対応する閉位置感度に調整または増大させることができる。従って本発明は、キーパッド１３５が閉じた状態の正面カバー１２５で覆われているときでも追加入力機能を提供することができる。
【００１６】
図３ａ〜図３ｄは移動体通信装置１０の使用例を示したものである。例えば、図３ａ〜図３ｄは移動体通信装置１０をユーザの頭部３１０に対して異なる位置及び角度で使用する様子を示している。図３ａは移動体通信装置１０を第１の角度で使用する様子を示している。図３ｂは移動体通信装置１０を第２の角度で使用する様子を示している。これらの２つの角度によってアンテナ１７０の性能が影響を受ける。例えば、第２の角度はアンテナ１７０の性能を低下させる。従って、移動体通信装置１０を異なる位置にすると、アンテナ整合回路１７２を調整してアンテナ１７０の最適性能を実現する必要がある。アレイセンサ１３０を使用して異なる位置を検知し、適切な調整を行って最適性能を実現することができる。
【００１７】
図３ｃは移動体通信装置１０を第３の角度で使用する様子を示している。図３ｄは移動体通信装置１０を第４の角度で使用する様子を示している。これらの異なる角度によっても、移動体通信装置１０の種々の構成要素の性能が影響を受ける。例えば、マイクロホン１４０の性能は、マイクロホン１４０がユーザの口から遠くなると低下する恐れがある。アレイセンサ１３０を使用してユーザの口からの距離、またはユーザの頭部３１０に対する角度を検知することができる。次にマイクロホンの感度を調整してマイクロホン１４０の位置を補償することができる。別の例として、スピーカ１５０の性能は、スピーカ１５
０がユーザの耳から遠くなると低下する恐れがある。アレイセンサ１３０を使用してユーザの耳からの距離、またはユーザの頭部３１０に対する角度を検知することができる。次にスピーカの利得または音量を調整してスピーカ１５０の位置を補償することができる。
【００１８】
図４は別の実施形態による移動体通信装置１０の例示としてのブロック図である。移動体通信装置１０は制御装置４１０、入力／出力（Ｉ／Ｏ）回路４２０、送信機回路４３０、受信機回路４４０、及びバス４５０を含むことができる。動作状態では、バス４５０によって移動体通信装置１０の種々の回路及び構成要素が互いに通信することができる。Ｉ／Ｏ回路は、アレイセンサ１３０、キーパッド１３５、音声入力装置１４０、ディスプレイ１６０、及び音声出力装置１５０のようなＩ／Ｏ装置のインターフェイスとなる。送信機回路４３０は、他の移動体通信装置または基地局などへの通信信号の送信を可能にする。受信機４４０は、他の移動体通信装置または基地局などからの通信信号の受信を可能にする。制御装置４１０は移動体通信装置１０の動作を制御する。
【００１９】
一実施形態によれば、制御装置４１０はアレイセンサ１３０に印加される静電容量電界の変化を検知し、アレイセンサ１３０に印加される静電容量電界の変化に基づいて、移動体通信装置１０の動作パラメータを調整することができる。制御装置４１０はさらに、静電容量アレイセンサ１３０の導電率プロファイル（ｃｏｎｄｕｃｔｉｖｅ  ｐｒｏｆｉｌｅｓ）に従って静電容量電界の変化を検知することができる。導電率プロファイルはヒトの頭部３１０の一部のようなヒトの顔の外形の一部またはヒトの手の一部とすることができる。制御装置４１０は２つの異なる導電率プロファイルを区別して、これらのプロファイルを比較するか、または検出したプロファイルの各々に従って動作パラメータを調整することができる。制御装置４１０はまた、導電率プロファイルのタイプを導電率プロファイルの３次元マップを使用して判断することができる。移動体通信装置はアンテナ１７０及びアンテナ整合回路１７２を含むことができ、動作パラメータはアンテナ整合回路１７２の調整であり得る。動作パラメータを受話器１５０の音量とすることもできる。制御装置４１０はさらに、静電容量アレイセンサ１３０からのヒトの頭部３１０の一部の距離を検出することができ、受話器またはスピーカ１５０の音量を検出距離に基づいて大きくすることができる。制御装置４１０はまた、静電容量アレイセンサ１３０からのヒトの頭部３１０の一部の距離を検出することができ、動作パラメータを、検出距離に基づいて調整されるマイクロホン１４０の感度とすることができる。導電率プロファイルは、移動体通信装置１０の外部にある導電体とすることができる。動作パラメータは移動体通信装置に対する照明または移動体通信装置の性能改善に関する可聴警報、或いはメッセージとすることができる。例えば、移動体通信装置１０が最適性能を提供できない位置に置かれると、警報が鳴り、メッセージが表示されて、良好な性能を得るためにはどのようにして移動体通信装置１０を再配置すれば良いかを通知する。
【００２０】
図５は、アレイセンサ１３０の一例を一実施形態による静電容量アレイセンサ１３０として例示として示している。アレイセンサ１３０は、電極群５１５を含む第１電極アレイ５１０、電極群５２５を含む第２電極アレイ５２０、タッチパッド面５４０、及び検知電極５３０を含むことができる。第１電極アレイ５１０は第２電極アレイ５２０と交差し、この場合、第１アレイ電極群５１５は第２電極アレイ群５２５と直交して交差領域を画定する。誘電体、絶縁体、またはエアギャップなどのようなスペーサが電極アレイ５１０と電極アレイ５２０とを分離する。
【００２１】
動作状態では、第１電極アレイ５１０は第２電極アレイ５２０と連携して電界を形成することができる。この電界は、検知電極５３０に対しても形成することができる。検知電極５３０は電極アレイ５１０，５２０の動作には必ずしも必要ではない。特に電界または容量は、検知電極５３０を使用することなく、電極アレイ５１０と電極アレイ５２０との間に生成することができる。制御装置４１０は第１電極アレイ５１０及び第２電極アレイ
５２０に電荷を供給して電界を生成するので、容量が電極アレイ５１０と電極ア５２０との間、または各電極アレイ５１０，５２０と検知電極５３０との間に形成される。制御装置４１０は、タッチパッド面５４０の近傍の導電物体の存在を導電物体が容量に及ぼす効果に基づいて検出することができる。例えば、アレイセンサ１３０近傍にある指のような導電物体によって容量が減少する。そこで制御装置４１０は、その容量の減少を測定することにより導電物体の存在を検出することができる。次に制御装置４１０は導電物体の位置を、関連する電極５１５，５２５に関する容量の変化に基づいて求めることができる。
【００２２】
図６は、別の実施形態による制御装置４１０の例示としてのブロック図を示している。制御装置４１０は、アレイセンサ１３０に接続される電界検知モジュール６１０、電界検知モジュール６１０に接続される動作パラメータ調整モジュール６２０、電界検知モジュール６１０に接続される導電率プロファイル検出モジュール６３０、導電率プロファイル検出モジュール６３０に接続されるに導電率プロファイル判別モジュール６４０、導電率プロファイル検出モジュールに接続される導電率プロファイルタイプ判定モジュール６５０、及び電界検知モジュール６１０に接続される距離検出モジュール６６０を含むことができる。動作状態において、電界検知モジュール６１０は、アレイセンサ１３０に印加される電界の変化を検知するように構成することができる。動作パラメータ調整モジュール６２０は、移動体通信装置１０の動作パラメータを、アレイセンサ１３０に印加される電界の変化に基づいて調整するように構成することができる。導電率プロファイル検出モジュール６３０は、電界検知モジュール６１０が検知する電界の変化に基づいて導電率プロファイルを検出するように構成することができる。導電率プロファイルはヒトの頭部３１０の一部のようなヒトの顔の形状の一部であってもよいし、または導電率プロファイルはヒトの手の一部であってもよい。導電率プロファイル判別モジュール６４０は２つの異なる導電率プロファイルを区別するように構成することができる。例えば、導電率プロファイル判別モジュール６４０は頭部３１０に近づいたときのプロファイルと頭部３１０から離れたときのプロファイルを区別することができる。別の例として、導電率プロファイル判別モジュール６４０は、移動体通信装置１０が頭部３１０に対してなす異なる角度を区別することができる。
【００２３】
導電率プロファイルタイプ判定モジュール６５０は、導電率プロファイルのタイプを導電率プロファイルの３次元マップを使用して判定するように構成することができる。例えば、異なる３次元マップを頭部３１０のプロファイル、手のプロファイル、テーブル表面のプロファイル、頭部３１０からの種々の距離のプロファイル、頭部３１０に対する種々の角度のプロファイル、手の種々の位置のプロファイル、または他の有用な全てのプロファイルのそれぞれに対して使用することができる。動作パラメータはアンテナ整合回路１７２の調整とすることができる。動作パラメータは受話器の音量とすることもできる。
【００２４】
距離検出モジュール６６０は、アレイセンサからのヒトの頭の一部の距離を検出するように構成することができ、動作パラメータ調整モジュール６２０はさらに、検出距離に基づいて受話器１５０の音量を上げるように構成することができる。距離検出モジュール６６０はまた、アレイセンサ１３０からのヒトの頭部３１０の一部の距離を検出するように構成することができ、動作パラメータ調整モジュール６２０はさらに、その検出距離に基づいて、マイクロホン１４０の感度を上げるように構成することができる。導電率プロファイルは移動体通信装置１０の外部にある導電体とすることができる。動作パラメータは移動体通信装置１０に対する照明とすることができる。動作パラメータは可聴警報とすることもできる。
【００２５】
従って、アレイセンサ１３０はディスプレイ１６０の近傍、受話器１５０の近傍、ハウジング１１０の側面、またはハウジング１１０の背面側、或いは移動体通信装置１０がどのように保持されているかというような情報を示す他の有用な位置に配置され得る。移動
体通信装置１０が通話状態にあり、例えばアレイセンサ１３０がデータ入力に使用されない場合、アレイセンサ１３０の近接感度を最大に設定してユーザの頭部３１０に対する移動体通信装置１０の位置を検出することができる。移動体通信装置１０が保持される位置をアレイセンサ１３０からの情報から推定することができる。次にアンテナ整合回路を調整するか、またはアンテナ１７０の姿勢を調整してアンテナ性能を上げることができる。例えば、アレイセンサ１３０の細かな縦横の配列を使用して電話機近傍の導電物体の高解像度画像を生成することができる。更に別の例として、高解像度画像から耳をマッピングして、前述の方法から得られるよりも多くのデータを取得して調整を行なうことができる。これにより性能が更に強化される。例えば、議論したように、音声性能を改善することができる。例えば、移動体通信装置は通常、スピーカ１５０がユーザの耳で塞がれるときに音声が最適になるように設計される。アレイセンサ１３０を使用してスピーカ性能を、ユーザの耳までのスピーカ１５０の距離に応じて改善することができる。さらに、マイクロホン１４０の利得は通常、特定の移動体通信装置の位置に対して設計される。アレイセンサ１３０は、ユーザの頭、口、及び／又は耳に対する移動体通信装置１０の近接度合いを判断して音声性能を移動体通信装置１０の位置に応じて最適化することができる。
【００２６】
本発明の方法はプログラムされたプロセッサで実施することが好ましい。しかしながら制御装置４１０の動作は、汎用コンピュータまたは特定用途コンピュータ、プログラムされたマイクロプロセッサまたはマイクロコントローラ及び周辺集積回路素子、ＡＳＩＣまたは他の集積回路、個別要素回路のようなハードウェア電子回路または論理回路、ＰＬＤ，ＰＬＡ，ＦＰＧＡまたはＰＡＬのようなプログラマブル論理素子などを用いて実行することができる。一般的に、制御装置４１０の動作を実行する機能を備える有限ステートマシンを組み込んだいずれの装置を使用しても本発明のプロセッサ機能を実行することができる。
【００２７】
本発明を本発明の特定の実施形態について記載してきたが、多くの代替、変形及び変更を本発明に加え得ることはこの技術分野の当業者には明らかなことであると思われる。例えば、実施形態の種々の構成要素を他の実施形態の他の構成要素と入れ替える、構成要素に他の構成要素を付加する、または構成要素を他の構成要素に置き換えることができる。従って、本明細書に示す本発明の好適な実施形態は例示としてのものであり、本発明を制限するためのものではない。種々の変更は、本発明の技術思想及び技術範囲から逸脱しない範囲において行なうことができる。
【図面の簡単な説明】
【００２８】
本発明の好適な実施形態について次の図を参照しながら記載することとし、これらの図では同様の参照番号は同様の構成要素を指す。
【図１】第１の実施形態による移動体通信装置の一例を示す図。
【図２】第２の実施形態による移動体通信装置の一例を示す図。
【図３ａ】移動体通信装置の使用例を示す図。
【図３ｂ】移動体通信装置の使用例を示す図。
【図３ｃ】移動体通信装置の使用例を示す図。
【図３ｄ】移動体通信装置の使用例を示す図。
【図４】別の実施形態による移動体通信装置の例示としてのブロック図。
【図５】一実施形態による静電容量アレイセンサの一例を示す図。
【図６】一実施形態による制御装置の例示としてのブロック図。
【図１】
2005528845.tif 000003
【図２】
2005528845.tif 000004
2005528845.tif 000005
【図４】
2005528845.tif 000006
【図５】
2005528845.tif 000007
【図６】
2005528845.tif 000008
【国際調査報告】
2005528845.tif 000009
2005528845.tif 000010
2005528845.tif 000011